(57)【特許請求の範囲】
【請求項１】
空隙（１４）を含む磁石システム（７）と、
上記磁石システム（７）の上記空隙（１４）内に部分的に配置される可動コイル（１５）と、
ダイアフラム軸（１８）について平行に振動することが可能であるダイアフラム（１７）と、
を有する電気音響変換器（１）であって、
前記ダイアフラム（１７）は、前面（１９）及び背面（２０）、内側領域（２１）、外側領域（２２）、及び、環状の取り付け領域（２４）を有し、
前記環状の取り付け領域（２４）は、上記内側領域（２１）と上記外側領域（２２）との間に配置され上記可動コイル（１５）を取り付けるよう機能し、  
前記ダイアフラム（１７）は、上記可動コイル（１５）が取り付けられる突出部（２５）を上記取り付け領域（２４）に有し、
前記突出部（２５）はダイアフラム（１７）の背面（２０）から突出しており、前記突出部（２５）に対して前記可動コイル（１５）が取り付けられ、
前記ダイアフラム（１７）は２つの突出部（２５）毎にその間に空間を有し、前記空間は前記隣り合う突出部（２５）の側壁（２８，２９）によって構成され、
前記ダイアフラム（１７）は、前記各空間に置かれて少なくとも屋根形状の支持構造を構成する、２つの安定化壁（３２，３３）を有し、
各安定化壁（３２，３３）は対向する前記側壁（２８，２９）の１つからそれぞれ伸びており、
前記安定化壁（３２，３３）は前記ダイアフラム軸（１８）に対して傾いており、
前記安定化壁（３２，３３）は半径方向において上記取り付け領域（２４）を超えて突出している、
電気音響変換器。
【請求項２】
各空間における上記２つの安定化壁（３２，３３）は、切妻屋根として構成される請求項１記載の電子音響変換器。
【請求項３】
各空間における上記２つの安定化壁（３２，３３）は、トラフ状の屋根として構成される請求項１記載の電子音響変換器。
【請求項４】
電子音響変換器用のダイアフラム（１７）であって、
ダイアフラム軸（１８）について平行に振動することが可能であり、
前記ダイアフラム（１７）は、前面（１９）及び背面（２０）、内側領域（２１）、外側領域（２２）、及び、環状の取り付け領域（２４）を有し、
前記環状の取り付け領域（２４）は、上記内側領域（２１）と上記外側領域（２２）との間に配置され上記可動コイル（１５）を取り付けるよう機能し、  
前記ダイアフラム（１７）は、上記可動コイル（１５）が取り付けられる突出部（２５）を上記取り付け領域（２４）に有し、
前記突出部（２５）はダイアフラム（１７）の背面（２０）から突出しており、前記突出部（２５）に対して前記可動コイル（１５）が取り付けられ、
前記ダイアフラム（１７）は２つの突出部（２５）毎にその間に空間を有し、前記空間は前記隣り合う突出部（２５）の側壁（２８，２９）によって構成され、
前記ダイアフラム（１７）は、前記各空間に置かれて少なくとも屋根形状の支持構造を構成する、２つの安定化壁（３２，３３）を有し、
各安定化壁（３２，３３）は対向する前記側壁（２８，２９）の１つからそれぞれ伸びており、
前記安定化壁（３２，３３）は前記ダイアフラム軸（１８）に対して傾いており、
前記安定化壁（３２，３３）は半径方向において上記取り付け領域（２４）を超えて突出している、
電子音響変換器用のダイアフラム（１７）。
【請求項５】
各空間における上記２つの安定化壁（３２，３３）は、切妻屋根として構成される請求項４記載のダイアフラム。
【請求項６】
各空間における上記２つの安定化壁（３２，３３）は、トラフ状の屋根として構成される請求項４記載のダイアフラム。
【発明の詳細な説明】
【０００１】
本発明は、請求項１の冒頭部に記載されるような電気音響変換器に関する。
【０００２】
本発明は更に、請求項４の冒頭部に記載されるようなダイアフラムに関する。
【０００３】
上述のような電気音響変換器及びダイアフラムは、例えば特許文書ＥＰ０８７６０７９から公知である。公知の変換器及び公知のダイアフラムでは、取り付け領域における突出部間の中間空間は、取り付け領域のみに配置される空隙によって形成され、その結果、突出部及び空隙は共に完全なリングを形成する。実際的な試験によって、この構成では、公知の変換器のダイアフラムは、可動コイル用の取り付け領域において十分に安定せず、即ち、十分に硬くなく、公知の変換器の動作の際に可動コイルが振動されてしまい、その結果、可動コイルは磁石システムの一部に接触する場合があり、このことは好適ではなく且つ望ましくない。
【０００４】
本発明は、上述の問題を除外し、且つ、改善された電子音響変換器及び改善されたダイアフラムを提供することを目的とする。
【０００５】
本発明では、上述の目的を達成するために、請求項１の特徴を示す部分に記載される特徴が、請求項１の冒頭部に記載される電子音響変換器に与えられる。
【０００６】
本発明では更に、上述の目的を達成するために、請求項４の特徴を示す部分に記載される特徴が、請求項４の冒頭部に記載されるダイアフラムに与えられる。
【０００７】
本発明の特徴を与えることにより、本発明の電気音響変換器用の本発明のダイアフラムは、ダイアフラム軸に対し横の方向、即ち、可動コイルを保持するための、空隙によって離される突出部が配置される取り付け領域においても安定した挙動を有することが、単純な方法で且つ実質的に追加の費用がかからずに達成される。安定化壁は、それによって変換器軸に平行な方向における可動性が影響を受けることなく、ダイアフラムの取り付け領域においてダイアフラムに良好な安定を与える。
【０００８】
本発明の変換器及び本発明のダイアフラムでは、請求項２及び請求項５に記載される特徴がそれぞれ追加して与えられる場合に非常に有利であることが分かっている。このような構成は、それが特に単純で製造することが容易であるという利点を有する。
【０００９】
本発明の変換器及び本発明のダイアフラムでは、請求項３及び請求項６に記載される特徴がそれぞれ追加して与えられる場合に非常に有利であることがわかっている。このような構成は、良好な安定化及び単純な製造を保証する。
【００１０】
本発明の上記及び更なる面は、例として以下に説明される実施例から明らかになり、これらの例を参照し説明する。
【００１１】
本発明を、例として示すが本発明を制限するものではない実施例を示す図面を参照し、より詳細に説明する。
【００１２】
図１は変換器１を示す。変換器１は、筐体底３、中空の円筒筐体壁４、及び角のある断面を有する筐体リム５を含む略ポット状の筐体２を有する。筐体底３は、円形の円筒状の路６を有する。
【００１３】
変換器１は、磁石システム７を有する。磁石システム７は、磁石８、ポール板９、及び、一般的に外部ポットと称されポット底１１、中空円筒ポット部１２、及びポット部１２から半径方向に突出するポットフランジ１３から構成されるポット１０から構成される。ポット１０のポットフランジ１３によって、磁石システム７全体は、筐体２の筐体底３に固定され、ポットフランジ１３と筐体底３との間に接着剤接合が形成される。磁石システム７のポット１０は、筐体底３内の路６を横断し、筐体底３とポット１０との間に機械的及び音響的に密閉される接続が設けられ、この接続は圧入によって形成されるが、或いは、例えば接着剤接合によって形成され得る。
【００１４】
ポール板９の円周境界面と、ポール板９に面する中空円筒ポット部１２の端部との間には、空隙１４が形成される。変換器１の可動コイル１５は、部分的にこの空隙１４内に配置される。磁石システム７によって、可動コイル１５は、図１中に２重矢印１６によって示される振動方向に略平行な方向に振動することが可能にされる。可動コイル１５は変換器１のダイアフラム１７に接続される。ダイアフラム１７の構成は以下に詳細に説明する。
【００１５】
ダイアフラム１７は、変換器１の変換器軸でもあるダイアフラム軸１８に平行な方向に振動することが可能である。ダイアフラム１７は前面１９及び背面２０を有する。ダイアフラム１７は更に、本実施例の場合は、ダイアフラム１７の前面１９の前方に配置される音響自由空間に対し凹状である内側領域２１を有する。内側領域２１が凹状であるので、特に小さい全体の高さを有するダイアフラム１７が得られる。しかし、音響自由空間に対し凸状である内側領域２１を有するダイアフラム１７を使用することも可能である。
【００１６】
更に、ダイアフラム１７は、平らな環状外周領域２３に隣接する湾曲した外側領域２２を有する。ダイアフラム１７は、外周領域２３によって筐体リム５に接続され、これは接着剤接合によって行われる。しかし、接着剤接合の代わりに超音波溶接を使用することも可能である。ダイアフラム１７は、内側領域２１と外側領域２２との間に取り付け領域２４を有する。取り付け領域２４は、可動コイル１５を取り付けるよう作用し且つ構成される。
【００１７】
ダイアフラム１７は、取り付け領域２４において全体で１２個の等間隔の突出部２５を有する。突出部２５は、ダイアフラム１７の背面２０から突出する。可動コイル１５は、突出部２５に接着剤接合によって取り付けられる。
【００１８】
図６から分かるように、各突出部２５は、外側の長い側壁２６及び内側の長い側壁２７、２つの短い側壁２８及び２９、及び本実施例では、Ｖ字型の断面を有する底壁３０を有する。全体で４つのＶ字型ノッチ３１が、底壁３０と、２つの長い側壁２６及び２７との間の遷移領域に設けられる。底壁３０のＶ字の形状は、それにより可動コイル１５が突出部２５に取り付けられる接着剤の適用及び接着に肯定的な影響を与えるので選択される。接着剤接合の形成の際に、任意の余剰の接着剤は、ノッチ３１から排出されることが可能である。尚、２つの長い側壁２６及び２７、２つの短い側壁２８及び２９、及び、底壁３０によって形成される突出部２５は、実質的に小鈍鋸歯状又はトラフ状の形状を有し、ダイアフラム１７の前面１９に面する面において開いている。突出部２５のこの形状は、ダイアフラム１７が深絞り加工によって成形されることにより得られる。
【００１９】
図面から分かるように、ダイアフラム１７は２つの突出部２５間に、空間を有する。各空間の領域において、２つの安定化壁３２及び３３が配置され、安定化壁はダイアフラム軸１８について傾斜される。各空間内の２つの安定化壁３２及び３３は、屋根状に配置され、本実施例のダイアフラム１７の各空間内における安定化壁３２及び３３は、切妻屋根として配置され、それにより、各空間内における２つの安定化壁３２及び３３は、線形リッジ３４となるよう互いに直接隣接する。
【００２０】
ダイアフラム１７は、各空間における安定化壁３２及び３３がトラフとして形作られ、安定化壁３２及び３３は互いに直接隣接しないが、変換器軸１８を略横断するように延在する壁が２つの安定化壁３２及び３３の間に配置されるような方法で構成されることも可能であることを強調する。
【００２１】
各空間において切妻屋根として配置される２つの安定化壁３２及び３３を有する本実施例のダイアフラム１７では、２つの安定化壁３２及び３３は、取り付け領域２４を超えて半径方向に延在し、安定化壁３２及び３３は取り付け領域２４から内側領域２１まで内側中間領域３５を介し突出し、且つ、取り付け領域２４から外側領域２２まで外側中間領域３６を介し突出する。従って、安定化壁３２及び３３は、取り付け領域２４内に配置されるだけでなく、取り付け領域２４を超えて内側領域２１及び外側領域２２まで大部分が延在する。
【００２２】
可動コイル１５を取り付け保持するための突出部２５間の空間に配置され、突出部２５から離れるような半径方向に延在する、半径方向に延在する安定化壁３２及び３３を有するダイアフラム１７の説明された構成により、ダイアフラム１７の取り付け領域２４内においても、ダイアフラム１７は、ダイアフラム軸１８を横断する方向、即ち、半径方向において安定した挙動を有することが保証される。これは、安定化壁３２及び３３は、その取り付け領域２４においてダイアフラム１７に高い安定性を与えるが、安定化壁３２及び３３は、ダイアフラム１７がダイアフラム軸１８と平行な方向に振動する能力にほとんど影響を与えないからである。
【図面の簡単な説明】
【図１】  スピーカとして構成され本発明のダイアフラムを含む本発明の実施例である電気音響変換器を原寸より拡大して示す部分的な断面図である。
【図２】  図１に対し逆さにされた位置にある図１の変換器のダイアフラムを示す図である。
【図３】  図２に示すダイアフラムの輪郭を示す図である。
【図４】  図２のダイアフラムを示す図２中の矢印ＩＶからの底面図である。
【図５】  図２及び図４のダイアフラムを示す斜めからの底面図である。
【図６】  図５中にダッシュ・ドット線によって示される図２、４、及び５のダイアフラムの一部を示す図である。
【図１】
0004876293.tif 000002
【図２】
0004876293.tif 000003
【図３】
0004876293.tif 000004
【図４】
0004876293.tif 000005
【図５】
0004876293.tif 000006
【図６】
0004876293.tif 000007